(57)【要約】  【課題】  十分な保温性を有するとともに新規な外観を有し、コンパクトに折り畳むことのできる羽毛マフラーを提供する。  【解決手段】  羽毛マフラー１は、帯状の表生地３と裏生地５の周囲が閉じられた袋状の構造を有する。袋の内部は、長手方向に複数個の部屋９−１〜９−１０に区切られたキルティング構造となっており、各室９の内部には羽毛１１が充填されている。このような構造により、十分な保温性が得られるとともに、各生地を柔らかく滑らかな生地で作製すれば、肌に触れる感触を良くすることができる。さらに、羽毛マフラー１を長手方向に折り畳むか巻き込んで袋に収めた場合に、幅方向垂直断面における断面積が９ｃｍ２以下となり、コンパクトに折り畳むことができる。【選択図】  図１
2005273101.tif 000002
【特許請求の範囲】
【請求項１】
帯状で、内部が長手方向に複数ヵ所の部屋に区切られたキルティング構造を有するとともに、内部各室に羽毛が充填されていることを特徴とする羽毛マフラー。
【請求項２】
長手方向に折り畳むか巻き込んで袋に収めた場合に、幅方向垂直断面における断面積が９ｃｍ２以下となることを特徴とする請求項１記載の羽毛マフラー。
【請求項３】
前記各室の面積が１００ｃｍ２〜４００ｃｍ２、該室への羽毛の充填密度が３．７ｍｇ／ｃｍ２〜５．５ｍｇ／ｃｍ２であることを特徴とする請求項１又は２記載の羽毛マフラー。
【請求項４】
外面の一部に、折り畳むか巻き込んだマフラー本体を収容する袋部が形成されていることを特徴とする請求項１、２又は３記載の羽毛マフラー。
【発明の詳細な説明】
【技術分野】
【０００１】
本発明は、首回りを保温するマフラーに関し、特には、羽毛が充填された羽毛マフラーに関する。
【背景技術】
【０００２】
首回りの保温には、マフラーやスカーフ、ショール、ストール等が使用されている。特に、羊毛や化学繊維の毛糸を編んで作製されたマフラーは、長年にわたって広く使用されている。
【発明の開示】
【発明が解決しようとする課題】
【０００３】
ところで、毛糸で作製されたマフラーは、通常の使用では十分な保温性を有するが、特に寒さの厳しい地域においては、さらに保温性が要求されることもある。
また、人によっては、毛糸が肌に触れたときのちくちくした感じを不快に感じることがある。さらに、毛糸は十分に圧縮されないため、首の回りに何度も巻いた場合や、上着の下に収めた場合に、嵩高くなってしまう。また、不使用時に折り畳んだり丸めて収納する場合、かなりの体積を占めてしまう。特に、かばんに収容するときには、かさばって他のものを入れられなくなるようなこともある。
【０００４】
本発明は上記の問題点に鑑みてなされたものであって、十分な保温性を有するとともに新規な外観を有し、コンパクトに折り畳むことのできる羽毛マフラーを提供することを目的とする。
【課題を解決するための手段】
【０００５】
本発明の羽毛マフラーは、  帯状で、内部が長手方向に複数ヵ所の部屋に区切られたキルティング構造を有するとともに、内部各室に羽毛が充填されていることを特徴とする。
羽毛が充填されたキルティング構造であるため、十分な保温性が得られる。また、柔らかく滑らかな生地で作製すれば、肌に触れる感触を良くすることができる。
【０００６】
本発明の羽毛マフラーは、長手方向に折り畳むか巻き込んで袋に収めた場合に、幅方向垂直断面における断面積が９ｃｍ２以下となることが好ましい。コンパクトに折り畳むことができると持ち運びに便利である。そして、羽毛の優れた特性により、使用時には、直ぐにもとの膨らんだ形状に復帰する。
【０００７】
本発明においては、  前記各室の面積が１００ｃｍ２〜４００ｃｍ２、該室への羽毛の充填密度が３．７ｍｇ／ｃｍ２〜５．５ｍｇ／ｃｍ２であることとすれば、十分な保温性と形状復帰性を有することができる。
【０００８】
さらに、本発明においては、  外面の一部に、折り畳むか巻き込んだマフラー本体を収容する袋部を形成すれば、コンパクトに収容でき、携帯する際にスペースをとらない。また、袋がなくなるような心配もない。
【発明の効果】
【０００９】
以上の説明から明らかなように、本発明は、十分な保温性を有し、コンパクトに折り畳むことのできる羽毛マフラーを提供できる。また、この羽毛マフラーは、肌触りがよく、軽量でかさばらない特長を備える。
【発明を実施するための形態】
【００１０】
以下、本発明の実施の形態について、図面を参照しながら詳細に説明する。
図１は、本発明の実施の形態に係る羽毛マフラーを説明する図であり、図１（Ａ）は平面図、図１（Ｂ）は正面断面図である。
この羽毛マフラー１は、帯状の表生地３と裏生地５の周囲が閉じられた袋状の構造を有する。この例では、マフラー１の両短辺と一方の長辺とは、表裏生地３、５とは別の生地で縁取り７がなされている。袋の内部は、長手方向に複数個（一例で、１０個）の部屋９−１〜９−１０に区切られたキルティング構造となっている。そして、各室９の内部には羽毛１１が充填されている。
【００１１】
各生地３、５としては、例えば、超極細ポリエステル系の軽量羽毛布団用生地（一例として、旭化成社製、インパクト（登録商標））を使用できる。この生地は、軽量であって、風合いがソフトであり、肌との摩擦が小さく、心地よい感触を与える。また、吸汗性に優れており、ベタつきを抑える。さらに、弱撥水加工及び帯電防止加工が施されている。
羽毛１１は、一般的な羽毛布団やダウンジャケットに使用される羽毛を使用できる。
【００１２】
一例として、マフラー１の寸法は、幅が約１６ｃｍ、長さが約１６０ｃｍである。また、各室９の寸法は、幅が約１６ｃｍ、長さが約１６ｃｍである。
なお、マフラー１の寸法は、特に限定されるものではないが、幅は８ｃｍ〜２０ｃｍが好ましく、長さは１４０ｃｍ〜２００ｃｍが好ましい。また、部屋９の数は、８個〜１５個が好ましい。そして、各室９の面積は１００ｃｍ２〜４００ｃｍ２が好ましい。
【００１３】
この例のマフラー１の各室９には１ｇの羽毛１１が充填されている。なお、各室９に充填される羽毛１１の密度は、３．７ｍｇ／ｃｍ２〜５．５ｍｇ／ｃｍ２が好ましい。
また、この例のマフラー１の全体の重量は１０ｇである。
【００１４】
この羽毛マフラー１は、羽毛布団やダウンジャケットと同様の十分な保温性を有する。そして、キルティング構造であるため、首に沿ってふんわりと巻くことができる。この際、肌にソフトな感触を与える。さらには、圧縮性を有するため、首回りに何週も巻きつけたり、端を結ぶこともできる。また、上着の下に収めてもかさばらない。そして、軽量であるため、身体への負担が少ない。
【００１５】
図２は、図１の羽毛マフラーの収納時の状態を示す図であり、図２（Ａ）は、羽毛マフラーを折り畳んだ状態、図２（Ｂ）は収容用の袋を示す図である。
羽毛マフラー１を収容する際は、例えば、長手方向に４つに折り畳み、折り畳んだものの長手方向端部から丸め込んで、図２（Ａ）に示すような円柱形に折り畳むことができる。このとき、折り畳まれたマフラー１の垂直断面はほぼ円形で、その径Ｌ１は３ｃｍ程度となる。このときの長さＬ２は、マフラー１の幅の１６ｃｍ程度であり、コンパクトな形である。
【００１６】
なお、折り畳まれたときの垂直断面積は、９ｃｍ２以下、特には、７ｃｍ２以下となることが好ましい。断面積が９ｃｍ２の場合とは、例えば、断面の縦辺と横辺が３ｃｍ×３ｃｍ、２．５ｃｍ×３．６ｃｍ、２ｃｍ×４．５ｃｍの場合などである。断面積が７ｃｍ２の場合とは、例えば、２．６ｃｍ×２．６ｃｍ、２ｃｍ×３．５ｃｍの場合などである。いずれの場合も非常にコンパクトな形になる。
【００１７】
収容袋２１は、図２（Ｂ）に示すように、袋状の収容部２３を、フラップ式のふた２５で開閉できるものである。収容部２３の寸法は、一例で、幅が８ｃｍ、長さが１７ｃｍである。上述のように折り畳まれた羽毛マフラー１は、この収容部２３内に収容できる。収容された状態は非常にコンパクトで軽量であるため、携帯に適している。なお、羽毛は十分な復帰性を有するため、袋２１から取り出した後、折り畳まれた状態からすばやくもとの形状に膨らむことができる。
【００１８】
図３は、本発明の他の実施の形態に係る羽毛マフラーの構造を説明する図であり、図３（Ａ）は平面図、図３（Ｂ）は正面断面図である。この図において、図１のマフラー１と同じ構成・作用を有する部材は図１と同じ符号を付し、説明を省略する。
この例の羽毛マフラー５１は、図１のマフラー１とほぼ同じ形状・寸法であるが、表布地３（又は裏生地５）の一端に収容部６１が形成されている。収容部６１は、表裏生地３、５と同じ生地の布片６３で作製される。この布片６３が、表生地３の長手方向の一端に縫い合わされて、同片６３と表生地３との間に、開口が内側を向いたポケット６５が形成されている。
【００１９】
マフラー５１を収容する際は、例えば、マフラー５１を、収容部６１が形成された端部と反対側の端部から収容部６１まで円柱状に丸めて、この丸めたものをポケット６５に収容する。この例の羽毛マフラー５１は、収納用の収容部６１がマフラー５１と一体に形成されているため、袋を別に持ち運んだりする必要がなく、袋を無くしてしまう心配もない。
【図面の簡単な説明】
【００２０】
【図１】本発明の実施の形態に係る羽毛マフラーを説明する図であり、図１（Ａ）は平面図、図１（Ｂ）は正面断面図である。
【図２】図１の羽毛マフラーの収納時の状態を示す図であり、図２（Ａ）は、羽毛マフラーを折り畳んだ状態、図２（Ｂ）は収容用の袋を示す図である。
【図３】本発明の他の実施の形態に係る羽毛マフラーの構造を説明する図であり、図３（Ａ）は平面図、図３（Ｂ）は正面断面図である。
【符号の説明】
【００２１】
１  羽毛マフラー                    ３  表生地
５  裏生地                          ７  縁取り
９  部屋                          １１  羽毛
２１  収容袋                        ２３  収容部
２５  ふた
５１  羽毛マフラー                  ６１  収容部
６３  布片                          ６５  ポケット
【図１】
2005273101.tif 000003
【図２】
2005273101.tif 000004
【図３】
2005273101.tif 000005